(57)【要約】【課題】光ケーブルを許容値以上の曲げ半径を確保した湾曲状態で、優れた作業効率をもってワイヤハーネスの分岐部分に組み込むことの出来る、新規な構造のワイヤハーネスの配索構造を提供すること。【解決手段】光ケーブル２０の許容曲げ半径以上の曲率半径をもって本体部分１４の外周面１６上に開口して該本体部分１４の全周に亘って延びる収容案内溝１８が形成された光ケーブルガイド部材１２を設け、前記光ケーブル２０を前記収容案内溝１８に収容すると共に該収容案内溝１８に沿って湾曲させる一方、前記光ケーブルガイド部材１２の少なくとも前記本体部分１４を、ワイヤハーネスの分岐部分１０における複数の電線２４の中に埋設して配索した。【選択図】図１
2012242667.tif 000002
【特許請求の範囲】
【請求項１】
複数の電線を含んで構成されたワイヤハーネスの分岐部分に光ケーブルを配索したワイヤハーネスの配索構造において、
ブロック状の本体部分の外周面上に開口して、前記光ケーブルの許容曲げ半径以上の曲率半径をもって前記本体部分の全周に亘って延びる収容案内溝が形成された光ケーブルガイド部材を設け、
前記光ケーブルを前記光ケーブルガイド部材の前記収容案内溝に収容すると共に該収容案内溝に沿って湾曲させる一方、
前記光ケーブルガイド部材の少なくとも前記本体部分を、前記ワイヤハーネスの分岐部分における前記複数の電線の中に埋設した
ことを特徴とするワイヤハーネスの配索構造。
【請求項２】
前記光ケーブルガイド部材における前記本体部分が円柱形状とされている
請求項１に記載のワイヤハーネスの配索構造。
【請求項３】
前記光ケーブルガイド部材における前記収容案内溝の前記本体部分の外周面上での開口幅寸法が、前記光ケーブルの径寸法よりも小さくされている
請求項１又は２に記載のワイヤハーネスの配索構造。
【請求項４】
前記光ケーブルガイド部材における前記収容案内溝が、前記本体部分の全周に亘って連続して延びる円環形状とされている
請求項１〜３の何れか１項に記載のワイヤハーネスの配索構造。
【請求項５】
前記光ケーブルガイド部材における前記本体部分に、複数の前記収容案内溝が並列して形成されている
請求項４に記載のワイヤハーネスの配索構造。
【請求項６】
前記光ケーブルガイド部材における前記本体部分に、非円形の部品固定用治具穴が貫設されている
請求項１〜５の何れか１つに記載のワイヤハーネスの配索構造。
【発明の詳細な説明】
【技術分野】
【０００１】
本発明は、ワイヤハーネスの配索構造に係り、特に、ワイヤハーネスの分岐部分に光ケーブルを配索するワイヤハーネスの配索構造に関するものである。
【背景技術】
【０００２】
従来から、自動車等において、車両の各所に配設された複数の車載電装品に電力や電気信号を伝送するために、複数の電線を束ねて構成されたワイヤハーネスが用いられている。特に近年では、例えばカーオーディオにおいて、車室前方のコンポから後部座席のモニタにＤＶＤの映像を伝送する場合等のように、大容量且つ高速のデータ通信を実現するために、光ファイバを用いた光ケーブルが採用されてワイヤハーネスに組み込まれることがある。
【０００３】
ところで、ワイヤハーネスは、車体パネル等の形状に応じて様々な経路で配索されるものであり、分岐部分を有することが多い。そして、光ケーブルも分岐部分において、例えば９０°や１８０°等に曲げられて配索されることがあるが、良く知られているように、光ケーブルには曲げ半径の許容値が設定されている。それ故、許容値よりも小さな曲げ半径で過度に曲げられると、光ケーブルの伝送効率が低下したり、光ケーブルを損傷するおそれがある。
【０００４】
そこで、曲げ半径を許容値以上に確保しつつ、光ケーブルを湾曲状態で配索するために、例えば特開２００１−２１５３３９号公報（特許文献１）には、ワイヤハーネスにテープ巻等で取り付けられる板部と、板部から突出して、光ケーブルを沿わせることによって許容値以上の曲げ半径で湾曲させるガイド突起とを備えた取付具を用いたワイヤハーネスの配索構造が提案されている。
【０００５】
しかし、特許文献１に記載の配索構造では、取付具のガイド突起がワイヤハーネスの外側に突出されると共に、光ケーブルがワイヤハーネスの外周面上に配索される。それ故、ガイド突起が他部材と干渉するおそれや、ワイヤハーネスの外周面上に配索された光ケーブルが他部材との接触により損傷したり、ガイド突起から離脱するおそれがあった。加えて、ワイヤハーネスのテープ巻きの後に更に取付具と光ケーブルをテープ巻きで取り付けることから、作業工数が増加するという問題もあった。
【先行技術文献】
【特許文献】
【０００６】
【特許文献１】特開２００１−２１５３３９号公報
【発明の概要】
【発明が解決しようとする課題】
【０００７】
本発明は、上述の事情を背景に為されたものであって、その解決課題は、光ケーブルを許容値以上の曲げ半径を確保した湾曲状態で、優れた作業効率をもってワイヤハーネスの分岐部分に組み込むことの出来る、新規な構造のワイヤハーネスの配索構造を提供することにある。
【課題を解決するための手段】
【０００８】
本発明の第一の態様は、複数の電線を含んで構成されたワイヤハーネスの分岐部分に光ケーブルを配索したワイヤハーネスの配索構造において、ブロック状の本体部分の外周面上に開口して、前記光ケーブルの許容曲げ半径以上の曲率半径をもって前記本体部分の全周に亘って延びる収容案内溝が形成された光ケーブルガイド部材を設け、前記光ケーブルを前記光ケーブルガイド部材の前記収容案内溝に収容すると共に該収容案内溝に沿って湾曲させる一方、前記光ケーブルガイド部材の少なくとも前記本体部分を、前記ワイヤハーネスの分岐部分における前記複数の電線の中に埋設したことを、特徴とする。
【０００９】
本発明によれば、光ケーブルガイド部材の収容案内溝に光ケーブルを収容して、収容案内溝に沿って光ケーブルを湾曲させることによって、光ケーブルの過度の湾曲を阻止することが出来る。そして、光ケーブルを収容案内溝に沿わせた状態で、光ケーブルガイド部材の本体部分をワイヤハーネスの分岐部分における複数の電線の中に埋設することによって、許容曲げ半径を確保した湾曲状態で光ケーブルをワイヤハーネスの分岐部分に配索することが出来る。
【００１０】
特に、光ケーブルガイド部材の少なくとも本体部分が、ワイヤハーネスを構成する複数の電線の中に埋設される。これにより、本体部分と該本体部分の収容案内溝に収容される光ケーブルとをワイヤハーネスから突出することなく配設することが出来て、本体部分の他部材との干渉や、他部材との干渉による光ケーブルの損傷や光ケーブルガイド部材からの離脱のおそれを低減することが出来る。更に、ワイヤハーネスの分岐部分を形成するに際して、光ケーブルガイド部材および光ケーブルと共に複数の電線をテープ巻きして結束することによって、分岐部分の形成工程で光ケーブルのワイヤハーネスへの組み込みを同時に作業効率良く行なうことが出来る。
【００１１】
また、光ケーブルガイド部材の本体部分は、複数の電線の中に埋設されて、本体部分を囲む複数の電線で支持される。これにより、光ケーブルガイド部材に特別なワイヤハーネスへの取付部を設けることも不要であり、部品点数の削減を図ることが出来る。更に、ワイヤハーネスへの取付部が不要であることから、ワイヤハーネスの分岐形状に応じて複数形状の取付部を用意することも不要とされており、光ケーブルガイド部材の汎用性を向上することも出来る。
【００１２】
更にまた、光ケーブルガイド部材の収容案内溝が、光ケーブルガイド部材の本体部分の全周に亘って延びている。従って、収容案内溝の方向性を意識することなく、収容案内溝の周上の任意の部分を用いて、光ケーブルを任意の方向に湾曲させることが出来る。これにより、光ケーブルガイド部材を、光ケーブルの各種の湾曲態様に対応して、優れた汎用性をもって用いることが出来る。なお、収容案内溝は、光ケーブルガイド部材の本体部分の外周面上を少なくとも一周しておれば良く、本体部分の外周面上を一周する円環形状のみならず、本体部分の外周面上を複数回に亘って周回する螺旋形状等とされていてもよい。また、本体部分に形成される収容案内溝は１つに限定されることはなく、複数形成されていてもよい。更に、収容案内溝に収容される光ケーブルは、必ずしも１本に限定されることはなく、１つの収容案内溝に複数本の光ケーブルを収容してもよい。
【００１３】
本発明の第二の態様は、前記第一の態様に記載のものにおいて、前記光ケーブルガイド部材における前記本体部分が円柱形状とされているものである。本態様によれば、本体部分が角部を有さないことから、複数の電線への埋設状態で、それらの電線を傷つけるおそれを低減することが出来る。
【００１４】
本発明の第三の態様は、前記第一又は第二の態様に記載のものにおいて、前記光ケーブルガイド部材における前記収容案内溝の前記本体部分の外周面上での開口幅寸法が、前記光ケーブルの径寸法よりも小さくされているものである。
【００１５】
本態様によれば、光ケーブルを収容案内溝の開口部分で係止して、収容案内溝から抜け難くすることが出来る。これにより、複数の電線への埋設状態で、光ケーブルの光ケーブルガイド部材からの離脱を阻止して、許容値以上の曲げ半径をより安定的に維持することが出来る。また、複数の電線を光ケーブルガイド部材の周囲に配索して分岐部分を形成するに際して、光ケーブルガイド部材に光ケーブルを保持させた状態で電線を配索することが出来て、作業性の向上を図ることが出来る。
【００１６】
本発明の第四の態様は、前記第一〜第三の何れか１つの態様に記載のものにおいて、前記光ケーブルガイド部材における前記収容案内溝が、前記本体部分の全周に亘って連続して延びる円環形状とされているものである。本態様によれば、収容案内溝を本体部分の外周面上でスペース効率良く形成することが出来て、光ケーブルガイド部材における本体部分のコンパクト化を図ることが出来る。
【００１７】
本発明の第五の態様は、前記第四の態様に記載のものにおいて、前記光ケーブルガイド部材における前記本体部分に、複数の前記収容案内溝が並列して形成されているものである。
【００１８】
本態様によれば、本体部分に複数の収容案内溝が形成されていることから、より多数の光ケーブルを１つの光ケーブルガイド部材で湾曲状態に配索することが出来る。そして、収容案内溝が円環形状とされていることから、複数の収容案内溝をケーブルガイド部材の本体部分にスペース効率良く形成することが出来て、複数の光ケーブルを、平行に重なるようにしてワイヤハーネスの分岐部分にスペース効率良く配索することが出来る。
【００１９】
本発明の第六の態様は、前記第一〜第五の何れか１つの態様に記載のものにおいて、前記光ケーブルガイド部材における前記本体部分に、非円形の部品固定用治具穴が貫設されているものである。
【００２０】
本態様によれば、複数の電線を束ねてワイヤハーネスの分岐部分を形成するに際して、電線のガイドに用いる治具に突設されたピンに、部品固定用治具穴を挿通することによって、光ケーブルガイド部材を治具上で位置決めすることが出来る。また、部品固定用治具穴が非円形とされていることから、治具上のピンへの挿通状態で光ケーブルガイド部材の回転を抑えることが出来る。これにより、複数の電線を束ねてワイヤハーネスの分岐部分を形成するに際して、光ケーブルガイド部材および光ケーブルを治具上でより安定的に位置決めすることが出来て、更なる作業性の向上を図ることが出来る。
【発明の効果】
【００２１】
本発明によれば、ワイヤハーネスの分岐部分に光ケーブルガイド部材を設けると共に、該光ケーブルガイド部材の本体部分に、光ケーブルの許容曲げ半径以上の曲率半径をもって全周に亘って延びる収容案内溝を形成する一方、該収容案内溝に光ケーブルを収容して該収容案内溝に沿って湾曲させると共に、該光ケーブルガイド部材の少なくとも本体部分を、ワイヤハーネスの分岐部分における複数の電線の中に埋設して配索した。これにより、光ケーブルを許容値以上の曲げ半径を確保しつつ、ワイヤハーネスの分岐部分に湾曲状態で配索することが出来る。更に、光ケーブルガイド部材の本体部分と光ケーブルをワイヤハーネスの複数の電線に埋設することによって、これら本体部分および光ケーブルと他部材との干渉を抑えて、光ケーブルの損傷のおそれを軽減することが出来る。それと共に、複数の電線を束ねて分岐部分を形成するに際して、本体部分と光ケーブルを複数の電線の中に埋め込んでこれら電線と共にテープ巻きすることによって、光ケーブルを分岐部分の形成工程と同時に作業効率良くワイヤハーネスに組み込むことが出来る。
【図面の簡単な説明】
【００２２】
【図１】本発明のワイヤハーネスの配索構造を備えた分岐部分の説明図。
【図２】図１に示した分岐部分に設けられる光ケーブルガイド部材の斜視図。
【図３】図２に示した光ケーブルガイド部材の平面図。
【図４】図３におけるＩＶ−ＩＶ断面図。
【図５】図１に示した分岐部分の形成方法を説明するための説明図。
【図６】本発明のワイヤハーネスの配索構造を備えた異なる態様の分岐部分の説明図。
【図７】図２と異なる態様の光ケーブルガイド部材の斜視図。
【図８】図２および図７と異なる態様の光ケーブルガイド部材の斜視図。
【発明を実施するための形態】
【００２３】
以下、本発明の実施形態について、図面を参照しつつ説明する。
【００２４】
先ず、図１に、本発明のワイヤハーネスの配索構造を備えたワイヤハーネスの分岐部分（以下、適宜に分岐部分と称する）１０を示す。なお、分岐部分１０は、後述するテープ２６で全体が巻回されているが、図１においては、要部のテープ２６を省略して図示している。また、図１においては、後述する光ケーブルガイド部材１２の収容案内溝１８内を透視して図示している。
【００２５】
分岐部分１０には、光ケーブルガイド部材（以下、適宜にガイド部材と称する）１２が埋設されている。図２〜図４に、ガイド部材１２を示す。ガイド部材１２は、円柱形状の本体部分１４を有する一体成型品とされている。ガイド部材１２の材質は特に限定されるものではなく、金属やゴム弾性体等も採用可能であるが、好適には、合成樹脂材料が採用される。
【００２６】
本体部分１４は、円形の断面形状をもって軸方向（図４中、上下方向）に延びる円柱状のブロック形状とされている。本体部分１４には、本体部分１４の外周面１６上に開口して本体部分１４の周方向に延びる複数（本実施形態においては、４つ）の収容案内溝１８ａ〜１８ｄが形成されている。これら収容案内溝１８ａ〜１８ｄは互いに略同様の形状とされていることから、特に区別する必要の無い場合には、収容案内溝１８として説明する。
【００２７】
収容案内溝１８は、略円形の断面形状をもって本体部分１４を一周する円環形状とされており、本体部分１４の全周に亘って、連続して形成されている。収容案内溝１８の内径の曲率半径：Ｒは、収容する光ケーブル２０ａ〜２０ｄ（図１参照）の許容曲げ半径以上に設定されている。本実施形態においては、光ケーブル２０ａ〜２０ｄの径寸法が略３ｍｍ、許容曲げ半径が７．５ｍｍに設定されているのに対応して、収容案内溝１８の内径の曲率半径：Ｒが７．５ｍｍ以上に設定されている。
【００２８】
また、図４に示すように、収容案内溝１８の断面形状は、光ケーブル２０ａ〜２０ｄの径寸法よりもやや大きな径寸法を有する略円形状が外周面１６で切り欠かれることによって、半周よりも僅かに多く回り込む部分円形状とされている。これにより、収容案内溝１８は、光ケーブル２０ａ〜２０ｄの１本を収容可能な大きさを有していると共に、収容案内溝１８の外周面１６上での開口幅寸法：ｗは、光ケーブル２０ａ〜２０ｄの径寸法よりもやや小さくされている。そして、４つの収容案内溝１８ａ〜１８ｄが、本体部分１４の軸方向（図４中、上下方向）に並んで形成されている。
【００２９】
さらに、本体部分１４の中心部分には、部品固定用治具穴２２が貫設されている。部品固定用治具穴２２は、非円形の断面形状をもって本体部分１４の中心軸上に貫設されている。部品固定用治具穴２２の断面形状は非円形であれば特に限定されるものではなく、正方形や長方形等の矩形状や、六角形や八角形等の多角形状、楕円やその他任意の非円形状が採用可能であり、本実施形態においては、角部が丸められた角丸の正方形とされている。
【００３０】
このような光ケーブルガイド部材１２は、図１に示したように、各収容案内溝１８ａ〜１８ｄに光ケーブル２０ａ〜２０ｄをそれぞれ収容して湾曲させた状態で、ワイヤハーネスの分岐部分１０に設けられる。図１に例示する分岐部分１０は十字形状の分岐部分とされている。光ケーブル２０ａ〜２０ｄは、各収容案内溝１８ａ〜１８ｄに部分的に収容されて、収容案内溝１８ａ〜１８ｄに沿って湾曲される。これにより、各光ケーブル２０ａ〜２０ｄが、収容案内溝１８ａ〜１８ｄで案内されて、曲げ半径を許容値以上に確保しつつ、略９０°に湾曲されて配索されている。そして、ガイド部材１２の周囲に、分岐部分１０を構成する複数の電線２４が配索されて、それら複数の電線２４で囲まれてガイド部材１２が支持されると共に、電線２４とガイド部材１２、および光ケーブル２０ａ〜２０ｄの全体がテープ２６でテープ巻きされることにより、分岐部分１０が形成されている。これにより、ガイド部材１２と光ケーブル２０ａ〜２０ｄが、複数の電線２４への埋設状態で分岐部分１０に組み込まれている。なお、ガイド部材１２は、本体部分１４の全体が複数の電線２４の束内に埋設されて、分岐部分１０の外面の全体を覆うテープ２６から突出することなく分岐部分１０に配設されている。また、光ケーブル２０ａ〜２０ｄが、複数の電線２４の束内に配索される。
【００３１】
なお、分岐部分１０は、例えば図５に示すようにして好適に形成される。先ず、治具２８を用意する。治具２８には、４つのガイドピン３０が四角形の４頂点に位置して突設されている。治具２８において、４つのガイドピン３０の中央部分には、位置決めピン３２が突設されている。位置決めピン３２は、光ケーブルガイド部材１２の部品固定用治具穴２２の断面形状より僅かに小さな略相似の断面形状とされている。
【００３２】
そして、光ケーブルガイド部材１２を用意して、部品固定用治具穴２２に位置決めピン３２を挿通することにより、ガイド部材１２を治具２８に組み付ける。続いて、光ケーブル２０ａ〜２０ｄを用意して、ガイド部材１２の収容案内溝１８ａ〜１８ｄにそれぞれ収容すると共に、収容案内溝１８ａ〜１８ｄに沿わせて所望の配索形状に湾曲させる。
【００３３】
次に、複数の電線２４を用意して、必要に応じて治具２８のガイドピン３０で案内して湾曲させる等しつつ、治具２８上で所望の配索形状に配索する。電線２４を治具２８上で配索するに際して、ガイド部材１２の近辺に配索される電線２４を、ガイド部材１２の外周面１６や上下面に沿わせるなどして、複数の電線２４でガイド部材１２を囲むように配索する。そして、複数の電線２４とガイド部材１２および光ケーブル２０ａ〜２０ｄにテープ２６を巻き付けると共に治具２８から取り外すことにより、分岐部分１０を形成することが出来る。
【００３４】
このようなワイヤハーネスの配索構造によれば、光ケーブルガイド部材１２を設けたことによって、光ケーブル２０ａ〜２０ｄを、ガイド部材１２の収容案内溝１８ａ〜１８ｄに沿わせて、許容値以上の曲げ半径を確保した曲げ状態で、分岐部分１０に配索することが出来る。そして、ガイド部材１２の全体と光ケーブル２０ａ〜２０ｄが、分岐部分１０における複数の電線２４の束内に埋設されて、分岐部分１０を覆うテープ２６内に配設される。これにより、ガイド部材１２や光ケーブル２０ａ〜２０ｄの他部材との干渉が軽減されて、光ケーブル２０ａ〜２０ｄの損傷やガイド部材１２からの離脱のおそれが軽減されている。特に本実施形態においては、ガイド部材１２における本体部分１４の全体が円柱形状とされていることから、周囲の電線２４を傷つけるおそれも軽減されている。更に、ガイド部材１２は、周囲を囲む複数の電線２４で支持される。従って、ガイド部材１２に特別なワイヤハーネスへの取り付け部を形成したり、そのような取り付け部を分岐部分の具体的な分岐形状に対応して複数種類用意することも不要とされており、ガイド部材１２を、各種の分岐形状の分岐部分に対して、優れた汎用性をもって用いることが出来る。
【００３５】
また、分岐部分１０を形成する際に、ガイド部材１２と光ケーブル２０ａ〜２０ｄの周囲に複数の電線２４を配索して、ガイド部材１２および光ケーブル２０ａ〜２０ｄと共にテープ巻きすることによって、分岐部分１０の形成とガイド部材１２および光ケーブル２０ａ〜２０ｄの組み込みを同時に行うことが出来、優れた作業効率を得ることが出来る。更に、ガイド部材１２に非円形の部品固定用治具穴２２が形成されていることにより、部品固定用治具穴２２に治具２８の位置決めピン３２を挿通することによって、ガイド部材１２を治具２８上で回転不能に位置決めすることが出来る。これにより、電線２４を配索するに際して、ガイド部材１２および光ケーブル２０を治具２８上でより安定的に位置決めすることが出来て、より優れた作業効率を得ることが出来る。但し、部品固定用治具穴２２は、必ずしも必要ではない。
【００３６】
また、光ケーブルガイド部材１２の収容案内溝１８は、本体部分１４の全周に亘って形成されている。これにより、収容案内溝１８において、本体部分１４の周上の何れの位置も任意に利用することが出来て、光ケーブル２０の湾曲角度を自由に設定することが出来る。特に、収容案内溝１８が円環形状とされていることから、収容案内溝１８を本体部分１４の軸方向（図４中、上下方向）でコンパクトに形成することが出来る。そして、複数の収容案内溝１８ａ〜１８ｂを並列してスペース効率良く形成すると共に、１つのガイド部材１２で複数の光ケーブル２０ａ〜２０ｄを案内することが可能とされている。更に、収容案内溝１８の外周面１６の開口寸法が、光ケーブル２０の径寸法よりも小さくされており、光ケーブル２０が収容案内溝１８から抜け出し困難とされている。これにより、光ケーブル２０のガイド部材１２からの離脱を阻止できると共に、電線２４を配索して分岐部分１０を形成するに際して、ガイド部材１２で光ケーブル２０を保持させておくことが可能であり、より優れた作業効率を得ることが出来る。
【００３７】
なお、このようなワイヤハーネスの配索構造は、各形状の分岐部分に適用することが可能である。例えば、図６に、本発明のワイヤハーネスの配索構造を備えた、異なる態様のワイヤハーネスの分岐部分４０を、図１と略同様にして示す。なお、以下の説明において、前記分岐部分１０と同様の構造とされた部材および部位には、図中に前記分岐部分１０と同一の符号を付することにより、その説明を適宜に省略する。
【００３８】
本態様における分岐部分４０はＴ字形状の分岐部分とされており、光ケーブルガイド部材１２と１本の光ケーブル２０が、複数の電線２４の束の中に埋設されている。本態様においては、光ケーブル２０が収容案内溝１８ａに収容されて、Ｕ字状に略１８０°湾曲して配索されている。なお、分岐部分４０は、図６に仮想線で併せ示すように、３つのガイドピン３０が三角形の各頂点に位置して突設されていると共に、それら３つのガイドピンの中央に位置決めピン３２が突設された治具４２を用い、前記分岐部分１０と同様にして形成することが出来る。前記分岐部分１０と本態様における分岐部分４０から明らかなように、本発明に従うワイヤハーネスの配索構造によれば、光ケーブルガイド部材１２の収容案内溝１８ａがガイド部材１２の全周に亘って形成されていることから、光ケーブル２０の湾曲角度を自由に設定することが可能であり、同一の光ケーブルガイド部材１２を各形状の分岐部分に汎用的に用いることが出来る。従って、これら分岐部分１０および分岐部分４０はあくまでも例示であり、本発明に従うワイヤハーネスの配索構造は、Ｙ字状の分岐部分等に適用することも勿論可能である。
【００３９】
以上、本発明の実施形態について詳述したが、本発明はその具体的な記載によって限定されない。例えば、光ケーブルガイド部材の具体的形状は前記実施形態の如き形状に限定されるものではない。図７に示す異なる態様の光ケーブルガイド部材４４のように、収容案内溝４６を、本体部分１４の外周面１６上を複数回に亘って周回する螺旋形状とする等しても良い。また、図８に示す更に異なる態様の光ケーブルガイド部材４８のように、本体部分５０を、角柱形状とする等しても良い。
【００４０】
さらに、収容案内溝の断面形状は円に限定されず、例えば矩形状などでも良い。また、１つの収容案内溝を、複数本の光ケーブルを収容可能な大きさをもって形成する等しても良い。加えて、収容案内溝は、本体部分に少なくとも１つ形成されていれば良く、例えば、本体部分に収容案内溝が１つのみ形成されていても良い。
【００４１】
また、必要に応じて、光ケーブルガイド部材に、本体部分から把持用の突起を突出して形成するなどしても良い。そのような場合には、光ケーブルガイド部材は、少なくとも本体部分が電線の束内に埋設されていれば良く、本体部分のみを電線の束内に埋設して、把持用の突起を電線の束内から突出させる等しても良い。
【００４２】
更にまた、分岐部分に設けられる光ケーブルガイド部材は、必ずしも１つに限定されるものではなく、必要に応じて、１つの分岐部分に複数の光ケーブルガイド部材を設けるなどしても良い。
【符号の説明】
【００４３】
１０，４０：ワイヤハーネスの分岐部分、１２，４４，４８：光ケーブルガイド部材、１４，５０：本体部分、１６：外周面、１８ａ〜ｄ，４６：収容案内溝、２０ａ〜ｄ：光ケーブル、２２：部品固定用治具穴、２４：電線、２８，４２：治具、３０：ガイドピン、３２：位置決めピン
【図１】
2012242667.tif 000003
【図２】
2012242667.tif 000004
【図３】
2012242667.tif 000005
【図４】
2012242667.tif 000006
【図５】
2012242667.tif 000007
【図６】
2012242667.tif 000008
【図７】
2012242667.tif 000009
【図８】
2012242667.tif 000010